(57)【要約】セルを基本とする無線アクセスネットワーク（６）のセル（１）間で移動局（４）のセル再選択を制御する方法である。この方法は、移動局（４）についてのセル再選択が適切である時を判断する工程と、移動局（４）が一連のトークバーストを含むプッシュ・トゥ・トークのサービスに関与しているかどうかを判断する工程と、もしその移動局がプッシュ・トゥ・トークのサービスに関与しているならば、トークバースト間の沈黙期間のような時間が発生するまでセル再選択を遅延させる工程とを備えている。
2008515300.tif 000002
【特許請求の範囲】
【請求項１】
セルを基本とする無線アクセスネットワークのセル間で移動局のセル再選択を制御する方法であって、前記方法は、
前記移動局についてのセルの再選択が適切である時を判断する工程と、
前記移動局が一連のトークバーストを含むプッシュ・トゥ・トークのサービスに関与しているかどうかを判断する工程と、
もし、前記移動局がプッシュ・トゥ・トークのサービスに関与しているならば、トークバースト間の沈黙時間のような時間が発生するまでセル再選択を遅延させる工程とを有することを特徴とする方法。
【請求項２】
トークバーストはパケット交換サービスにより前記移動局と前記無線アクセスネットワークとの間で転送されることを特徴とする請求項１に記載の方法。
【請求項３】
前記パケット交換サービスは汎用パケット無線サービスであることを特徴とする請求項１に記載の方法。
【請求項４】
前記移動局についてのセルの再選択が適切である時を判断する工程を、前記無線アクセスネットワーク内で実行することを特徴する請求項１乃至３のいずれか１項に記載の方法。
【請求項５】
前記無線アクセスネットワークはＧＳＭ／ＧＰＲＳであり、
前記移動局についてのセルの再選択が適切である時を判断する工程は、前記移動局から受信される測定に基づいてサービング基地局制御装置において実行されることを特徴とする請求項４に記載の方法。
【請求項６】
セルの再選択はＮＣ２手順によって制御され、
前記セルの再選択の手順を遅延させる工程は、ＮＣ２手順を用いて実施されることを特徴とする請求項５に記載の方法。
【請求項７】
前記移動局がプッシュ・トゥ・トークのサービスに関与しているかどうかを判断する工程は、前記基地局制御装置において、進行中のパケット交換セションのサービス品質プロフィールを検査する工程を有することを特徴とする請求項４又は５に記載の方法。
【請求項８】
現在のトーク・バーストの終了に続いて、セルの再選択要求を前記無線アクセスネットワークから前記移動局に送信する工程をさらに有することを特徴とする請求項１乃至７のいずれか１項に記載の方法。
【請求項９】
前記進行中のセションの無線リンク品質が受容可能な品質閾値を下回った場合に、迅速なセルの再選択を指示するため、前記遅延を無効にする工程をさらに有することを特徴とする請求項１乃至８のいずれか１項に記載の方法。
【請求項１０】
前記閾値は、搬送波対干渉比（Ｃ／Ｉ）、ビット誤り率（ＢＥＲ）、或はセルのスループットにより定義されることを特徴とする請求項９に記載の方法。
【請求項１１】
前記進行中のトークバーストが一定の定義されたタイマ値を超え続ける場合に、迅速なセルの再選択を指示するため、前記遅延を無効にする工程をさらに有することを特徴とする請求項１乃至８のいずれか１項に記載の方法。
【請求項１２】
前記タイマ値は、
予想される動作に基づいて事前に定義されるか、或は
前記進行中の音声バーストに基づいて適応的に計算された値か、或は
前記移動局の以前の動作に基づいて演算された値か、或は
前記無線アクセスネットワークによって処理される前記移動局の以前の動作に関して演算された値であることを特徴とする請求項１１に記載の方法。
【請求項１３】
セルを基本とする無線アクセスネットワークの基地局制御装置を動作させる方法であって、前記方法は、
移動局についてのセルの再選択が適切である時を判断する工程と、
前記移動局が一連のトークバーストを含むプッシュ・トゥ・トークのサービスに関与しているかどうかを判断する工程と、
もし前記移動局がプッシュ・トゥ・トークのサービスに関与しているならば、トークバースト間の沈黙時間のような時間が発生するまで、セル再選択の指示を遅延させる工程とを有することを特徴とする方法。
【請求項１４】
セルを基本とする無線アクセスネットワークで使用する移動局を動作させる方法であって、前記方法は、
前記移動局についてのセルの再選択が適切である時を判断する工程と、
前記移動局が一連のトークバーストを含むプッシュ・トゥ・トークのサービスに関与しているかどうかを判断する工程と、
もし前記移動局がプッシュ・トゥ・トークのサービスに関与しているならば、トークバースト間の沈黙時間のような時間が発生するまで、セル再選択の指示を遅延させる工程とを有することを特徴とする方法。
【発明の詳細な説明】
【技術分野】
【０００１】
本発明は、セルラサービスによるいわゆるプッシュ・トゥ・トークの中断を回避する方法および装置に関する。特に、本発明は、無線アクセスネットワークの無線基地局間での移動局のセル再選択に起因する中断を回避することに関する。
【背景技術】
【０００２】
トランシーバタイプのサービスは、短いメッセージをすばやく相互に交信することを望むユーザの間で人気があることが、随分前から分っている。従来、そのようなサービスは、無線スペクトルの専用部分を利用した双方向の携帯無線機によって提供されてきたが、それらは同様の端末を利用していて、かつ無線機の比較的短い動作範囲内にいる、事前に選択されたユーザの少人数のグループと通信できるだけであった。もっと最近になって、既存の携帯電話インフラストラクチュアを利用したサービスが米国に導入された。しかし、これらのサービスは本質的に独自仕様であり、異なる運用オペレータのネットワーク間でユーザが通信することはできなかった。
【０００３】
トランシーバタイプのサービスの利用拡大を目的として、携帯電話ネットワーク上で提供されるトランシーバタイプのサービスのネットワーク間相互接続運用を可能にする適切なプロトコルを標準化するため、オープン・モバイル・アライアンス（ＯＭＡ：www.openmobilealliance.org）として知られる企業グループが設立された。各種の標準によって確立されたサービスはＰｏＣ（Push to talk over Cellular）（携帯電話によるプッシュトゥトーク）として知られている。ＰｏＣは、関連する音声データがパケット交換アクセスネットワークにより転送されることを提案している。ＧＳＭおよびＵＭＴＳの場合には、これはＧＰＲＳアクセスネットワークとなるであろう。他のネットワークアーキテクチャにおいては、会話データを転送するには、類似したパケット交換アクセスネットワークが利用されるであろう。プッシュ・トゥ・トークのサービスは、回線交換アクセスネットワークによっても提供されることもありうるが、これは好適な選択肢ではない。
【０００４】
すでに上述したとおり、トランシーバタイプのサービスは、短いメッセージを２人あるいは比較的少人数のユーザ間で通信するには理想的である。トークセションはおそらく、両方向に送信される少数のトークバーストで構成されるだろう。トークセションの本質としての短さを考えると、運用オペレータのネットワーク性能の問題が原因で発生しうるサービスの中断を最小化することが望ましい。
【０００５】
ここでＧＳＭネットワークにおけるＧＰＲＳパケット交換アクセスの提供ということを考えると、図１に例示するような、ＧＳＭのセルを基本にした無線アクセスネットワークアーキテクチャを利用することになる。各セル１の中で、無線基地局装置（ＢＴＳ）２は、移動局と無線アクセスネットワーク３との間のインタフェースを提供する。移動局４との高品質の通信リンクを維持するために、移動局がセルの境界に接近しその境界を超えるとき、移動局をあるＢＴＳから別のＢＴＳに移動させるために、セルの再選択メカニズムが提供される。セルの再選択は、他の理由でも、例えば、ネットワークの輻輳を回避するために発生することもある。複数のＢＴＳは複数のセットへとグループ化され、各セットは基地局制御装置（ＢＳＣ）５によって制御される。ＢＳＣとそのＢＳＣによって制御される関連するＢＴＳとの組み合わせは、基地局システム（ＢＳＳ）と呼ばれる。無線アクセスネットワーク３は、ＧＰＲＳネットワーク６に結合されており、ＧＰＲＳネットワーク６は、サービングＧＰＲＳサポートノード（ＳＧＳＮ）７と、例えば、インターネットのような他のネットワークへのパケット交換アクセスを容易にするゲートウェイＧＰＲＳサポートノード（ＧＧＳＮ）８とを有している。セルと同様に、ＢＳＣは、ＢＳＣのグループが共通のＳＧＳＮによりサービスを受ける状態では、階層アーキテクチャとして構成される。
【非特許文献１】ＴＳ０５．０８、技術仕様グループＧＳＭ／ＥＤＧＥ無線アクセスネットワークサブシステムのリンク制御（１９９９年版）
【発明の開示】
【発明が解決しようとする課題】
【０００６】
ＧＳＭは、回線交換による音声呼が（パケット交換によるデータセションとは対照的に）セルの再選択の間に円滑に転送することを保証するための極めて高度なメカニズムを規定している。実際、ユーザは通常、セルの再選択が発生したことに気付かない。ＧＰＲＳセションによりセルの再選択を行うメカニズムはそれほど緻密ではない。現在の仕様では、ＧＰＲＳセションのセルの再選択は、ＰｏＣサービスに関連するトークバーストの転送において深刻な中断を招く結果となる恐れがある。これは、セルの再選択の点では、そのとき話している当事者だけでなく、ＰｏＣセションに関与しているいかなる当事者にもあてはまる。ＧＰＲＳの現在の実施形では、セルの再選択は移動局に任された判断であり、セルの再選択は（旧ＢＴＳと新ＢＴＳとが同じＢＳＣによりサービスを受けていると仮定すると）、約２乃至３秒のデータ配信の中断を招く結果となる恐れがある。ごく最近のＧＰＲＳ仕様は、改良されたネットワークによって制御されるセルの再選択手順を定めてはいるが、その中断は依然として７００ミリ秒のオーダとなっている。そのようなセルの再選択がＰｏＣセション中に発生する確率は非常に高い。異なるＢＳＣによってサービスを受けるＢＴＳ間のセルの再選択の場合は、その中断はさらに大きくなり、４乃至５秒のオーダとなる可能性が高いが、そのようなセルの再選択はめったに発生しない。ある稀な場合に、ＢＴＳのセルの再選択が、サービングＢＳＣの変更だけでなく、ＧＰＲＳネットワーク内のサービングＧＰＲＳサポートノード（ＳＧＳＮ）の変更を招く結果となることもあるであろう。この場合、１０乃至１５秒のオーダのサービス中断に至る可能性がある。
【０００７】
そのような遅延は、おそらくユーザを苛立たせるであろうし、ユーザが知覚するサービス品質に対して、従って、ユーザの満足度に対しても、非常に有害な影響を及ぼすこともありうる。この問題は、中断のないセルの再選択に対応できるほど十分長い間、受信側の移動局の中にプレバッファリング（再生を開始する前にダウンロードを行うこと）を設定することによって緩和されうるが、ＰｏＣサービスにとってはレイテンシこそ最優先される特性であって、プレバッファリングが長ければ長いほどレイテンシも大きくなるため、これは望ましくない。
【課題を解決するための手段】
【０００８】
本発明の発明者らは、典型的なＰｏＣセションにおいて、トークバーストの間に著しい沈黙時間の発生が予想できることを認識した。実際、発言権を制御している１人のユーザから別のユーザへの制御の切り替えの間の沈黙時間は避けられない。例えば、ＰｏＣセションは合計で４０秒間続くかもしれない。この４０秒のセションの間に、４回のトークバーストがユーザ間で交換され、各トークバーストが平均７秒間継続してもよい。４回のトークバーストの間に３回の沈黙時間が交互に挟まれ、それぞれがおよそ４秒間（制御を移動させるのにかかる時間、プラス、発言権制御を誰に渡すかをユーザが「考える」時間）継続する。これらの沈黙時間（必要に応じて延長される）は、参加ユーザへのトーク再生中に気付かれるような遅延を何ら招くことなく、セルの再選択を行うのに都合良く利用できる。
【０００９】
本発明は、もちろん、関連するトークデータを転送するのにセルラネットワークを利用するＰｏＣ以外のプッシュ・トゥ・トークのサービスにも応用できる。
【００１０】
本発明の目的は、トラフィック転送メカニズムとしてセルラ通信ネットワークを利用するプッシュ・トゥ・トークのサービスに関連するトーク再生中の遅延を減少または除去することである。
【００１１】
本発明の第１の側面からすれば、セルを基本とする無線アクセスネットワークのセル間で移動局のセル再選択を制御する方法が提供される。その方法は、
移動局についてのセルの再選択が適切である時を判断する工程と、
その移動局が一連のトークバーストを含むプッシュ・トゥ・トークのサービスに関与しているかどうかを判断する工程と、
もしその移動局がプッシュ・トゥ・トークのサービスに関与しているならば、トークバースト間の沈黙時間のような時間が発生するまでセル再選択を遅延させる工程とを有することを特徴とする。
【００１２】
“プッシュ・トゥ・トーク”のサービスという用語は、ここでは、トランシーバタイプの特徴をもつサービスを見分けるのに用いられる。これらは、２人以上のユーザがトークバーストを非常にすばやく交換するために互いに接続されることを可能にするサービスである。プッシュ・トゥ・トークのサービスは、所与の時間に話ができるのは１人だけであるという点で、従来の音声呼とは異なる。話をするためには、ユーザは「発言権」の制御を有する必要がある。制御は、一般に、１人のユーザが発言権の制御を解除するためにトークボタンを解放し、別のユーザが発言権の制御を行うためにトークボタンを押すことによって達成される。
【００１３】
好ましくは、トークバーストは、パケット交換サービスにより複数の移動局と無線アクセスネットワークとの間で転送されるのが望ましい。ＵＭＴＳおよびＧＳＭの場合には、このサービスは汎用パケット無線サービス（ＧＰＲＳ）であってもよい。
【００１４】
好ましくは、移動局についてのセルの再選択が適切である時を判断する工程は、無線アクセスネットワーク内で実行されることが望ましい。ＧＳＭ／ＧＰＲＳアクセスネットワークの場合には、これはサービング基地局制御装置で実行される。その判断は、移動局から受信した測定結果に基づいて行われる。より望ましいのは、セルの再選択はＮＣ２手順によって制御されることである。セルの再選択の手順を遅延させる工程は、ＮＣ２手順を用いて実施される。
【００１５】
好ましくは、移動局がプッシュ・トゥ・トークのサービスに関与しているかどうかについて判断する前記の工程は、進行中のパケット交換（ＧＰＲＳ）セションのサービス品質プロフィールを、基地局制御装置において、検査する工程を有していることが望ましい。
【００１６】
好ましくは、この方法は、現在のトークバーストの終了に続いて、セルの再選択要求を無線アクセスネットワークから移動局に送信する工程を有していることが望ましい。
【００１７】
本発明のある実施例では、この方法は、進行中のセションの無線リンク品質が受容可能な品質閾値を下回った場合に、迅速なセルの再選択を指示するため、前記遅延を無効にする工程を有してもよい。この閾値は、搬送波対干渉比（Ｃ／Ｉ）、ビット誤り率（ＢＥＲ）、或はセルのスループットにより定義されてもよい。他の実施例では、進行中のトークバーストがある定義されたタイマ値を超え続ける場合に、その遅延が無効にされてもよい。この値は、予想される動作に基づいて事前に定義されてもよいし、進行中の音声バーストに基づいて適応的に計算された値でもよいし、移動局のそれまでの挙動を基にして演算された値であってもよいし、無線アクセスネットワークによって処理される移動局のそれまでの挙動に関して演算された値であってもよい。
【００１８】
本発明の第２の側面からすれば、セルを基本とする無線アクセスネットワークの基地局制御装置を動作させる方法が提供される。その方法は、
移動局についてのセルの再選択が適切である時を判断する工程と、
その移動局が一連のトークバーストを含むプッシュ・トゥ・トークのサービスに関与しているかどうかを判断する工程と、
もしその移動局がプッシュ・トゥ・トークのサービスに関与しているならば、トークバースト間の沈黙時間のような時間が発生するまでセル再選択の指示を遅延させる工程とを有することを特徴とする。
【００１９】
本発明の第３の側面からすれば、セルを基本とする無線アクセスネットワークで使用する移動局を動作させる方法が提供される。その方法は、
その移動局についてのセルの再選択が適切である時を判断する工程と、
その移動局が一連のトークバーストを含むプッシュ・トゥ・トークのサービスに関与しているかどうかを判断する工程と、
もしその移動局がプッシュ・トゥ・トークのサービスに関与しているならば、トークバースト間の沈黙時間のような時間が発生するまでセル再選択の指示を遅延させる工程とを有することを特徴とする。
【発明を実施するための最良の形態】
【００２０】
携帯電話によるプッシュトゥトーク（ＰｏＣ：Push to talk over Cellular）は、高度データサービス、特に、リアルタイム・マルチメディア・サービスをセルラネットワークに導入することを容易にするため、ＧＳＭ／ＧＰＲＳネットワーク上で実施される予定の提案であり、第３世代パートナシッププロジェクトによって標準化されたＩＰマルチメディアサブシステム（ＩＭＳ）を利用する提案である。ＩＭＳは、マルチメディアＩＰベースのセションの設定と制御のために、インターネット技術特別委員会（ＩＥＴＦ）によって定義されたセション開始プロトコル（ＳＩＰ）を基にしている。ＰｏＣサーバが、ＩＭＳ内に位置するかまたはＩＭＳに接続していて、ＰｏＣセションをセットアップし制御する機能を遂行する。
【００２１】
図１において、無線アクセスサービスがセルラアーキテクチャによってユーザに提供される。各セル内では、移動局が無線基地局装置（ＢＴＳ）と無線で通信する。１つの基地局制御装置（ＢＳＣ）によって複数のセル（と関連する複数のＢＴＳ）が制御される。ＢＴＳのセルの再選択の概念については、上記で概説した。ＧＰＲＳの場合、セルの再選択手順は、ＴＳ０５．０８、“技術仕様グループＧＳＭ／ＥＤＧＥ無線アクセスネットワークサブシステムのリンク制御（１９９９年版）”の中に記述されている。特に、この技術仕様（ＴＳ）の第１０．１．４章は、移動局のセル再選択動作を制御するための数多くの手順を定義している。現在実施されている手順は“ＮＣ０”である。これによれば、セルの再選択の決定は移動局自身に任されており、その決定は移動局によって行われた測定（例えば、信号強度等）に基づいて行われる。
【００２２】
“ＮＣ２”として知られる改良されたセルの再選択制御手順は、ＢＳＣにあるパケット制御ユニット（ＰＣＵ）エンティティ内で実行されるであろう。ＮＣ２は、移動局と移動局が通信できる（即ち、範囲内にある）ＢＴＳとの間の利用可能な無線リンクの品質を識別する測定報告を、移動局がネットワークに周期的に送信することを必要としている。これらの測定に基づいて、複数のＢＴＳを担当するサービングＢＳＣが、移動局が接続すべきＢＴＳを識別する。移動局がその時点で通信しているＢＴＳではないＢＴＳが識別された場合、ＮＣ２は、そのＢＳＣが移動局に対してセル再選択コマンドを送信することを必要とする。その“新たな”ＢＴＳは、同じＢＳＣによって制御されているＢＴＳであってもよいし、別のＢＳＣによって制御されているＢＴＳであってもよいことは理解されるだろう。また、その新たなＢＴＳは別のＳＧＳＮに関連付けられてもよい。移動局は再配置コマンドを受信すると、セル再選択コマンドに含まれているセルの記述に従ってセルを選択する。ＮＣ２は移動局が自動的にセルを再選択することを規定しているが、これは、ダウンリンク信号障害、またはランダムアクセス障害に続く場合にのみ可能である。
【００２３】
ＮＣ２は、移動局が、セル再選択コマンドの受信時、直ちに動作することを要求している。普通ならば、セルの再選択が必要であるとＢＳＣが判断することとセルの再選択が実際に発生することとの間にわずか数秒間であるが時間が経過する可能性が高い。ＮＣ２は、セルの再選択の間にデータが失われないことと、古いＢＴＳが停止した場所を新たなＢＴＳがとらえることとを保証するための適切なメカニズムを提供してはいるが、新たなＢＴＳからのデータ送信において遅延がもたらされることを完全に回避するわけではない。もちろん、例えば、ウェブサーバからデータが移動局にダウンロードされるシナリオにおいて、相対的に小さな遅延はユーザに気付かれないまま過ぎ去る可能性が高く、ユーザにより知覚される性能レベルに深刻な影響を与えないことは確かであろう。しかし、ＰｏＣサービスに関連するもののようなリアルタイム音声データの場合、そのような中断は、ユーザを非常に苛立たせる結果になる可能性が高い。
【００２４】
図２は、ＮＣ０または（現在提案されている）ＮＣ２のセル再選択制御手順の実施を想定した典型的なＰｏＣセションの特徴を図示している。図示された例において、“Ａパーティ”として言及される移動局は、若干の沈黙時間によって分割された２回の短いトークバーストを送信する。このトークバーストがＡパーティの無線アクセスネットワークにより送信されると、セルの再選択がＡパーティの移動局について発生するとする。Ｂパーティに属する受信側の移動局は、トークバーストをすべて受信するであろう。しかしながら、セルの再選択に起因して、再生の途中で中断が発生する可能性が高い。次に、第２番目の短いトークバーストについて考察すると、送信された音声バーストの再生中に、セルの再選択がＢパーティの移動局について発生するとする（Ｂパーティの移動局は、Ａパーティの端末と同じ無線アクセスネットワークに接続されていてもよいし、別のアクセスネットワークに接続されていてもよい）。この場合も先と同様に、送信されたトークバーストはすべてＢパーティに対して再生されているが、Ｂパーティの移動局のセルの再選択に対応して、短い中断が発生する。受信者を苛立たせるだけでなく、トークバーストの中断によって、再生された音声の明瞭度が深刻な影響を受ける可能性がある。
【００２５】
この問題に対処するため、現在提案されているＮＣ２手順が、ＰｏＣサービスにおいて沈黙時間が発生するまでセルの再選択を遅延させるメカニズムの導入を可能にするよう修正される。これはまず、セルの再選択を必要とするＧＰＲＳセションが、ＰｏＣサービスに関連しているとして検出されていることを検出するための何らかの手段を必要とする。幸運なことに、現在のＰＣＵのある実施形では、そのような検出についてすでに備えがある。３ＧＰＰ  ＴＳ  ２３．１０７、“技術仕様グループサービスおよびシステムの態様；サービス品質（ＱｏＳ）の概念およびアーキテクチャ”（１９９９年版）を参照されたい。これらの実施形において、ＢＳＳは進行中のＧＰＲＳセションについてのＱｏＳのプロフィールを検査し、もし一定のＱｏＳプロフィールを有するＱｏＳストリーミングを移動局が使用するならば、ＢＳＳは進行中のメディアストリームがＰｏＣタイプのメディアフローであることを知る。それに従って、ＰｏＣタグが設定される。
【００２６】
ＰｏＣタグが設定されたなら、アップリンク方向或はダウンリンク方向において現在のトークバーストが終了する時まで、移動局がセルの再選択を行うように指示することを遅延させるために、（現在定義されている）ＮＣ２手順は修正される。いったんトークバーストが終了すると、セルの再選択手順を開始できる。第三者の移動体からの新たなトークバースト、即ち、ダウンリンク方向における受信の前にこの手順が完了していないなら、トークバーストはセルの再選択が完了する時間まで、ＢＳＣにおいてバッファに格納される。アップリンク方向では、セルの再選択が完了するまでは、移動局は発言権を制御することができないであろう。実際に、これらはセルの再選択手順の間に新たなトークバーストを処理するための通常の手順である。
【００２７】
これは、図３に概略的に図示されているが、図３でも先と同様に、Ａパーティの移動局のセル再選択は最初のトークバーストの間に発生し、Ｂパーティの移動局のセル再選択は第２番目のトークバーストの間に発生する。この解決策はアップリンク方向とダウンリンク方向の両方に対して明らかに適用可能であり、また、ＢＳＣ内のセル再選択、ＢＳＣ間のセル再選択、そしてＳＧＳＮ間のセル再選択にも適用可能である。
【００２８】
図４は、セルの再選択手順に関連する、ＢＴＳ経由の移動局とＢＳＣとの間のシグナリングを図示するフローである。
【００２９】
ここで詳述した手順を実施する上での重要な要素は、ＰｏＣセションに関連する音声バーストの終了の検出である。このために、１つの基準、または基準の組み合わせが用いられる。これらには以下のことが含まれる。
【００３０】
１．関連する（アップリンクまたはダウンリンクの）一時的ブロックフロー（ＴＢＦ）が解放されたとき、アップリンクまたはダウンリンクの音声バーストが終了したとみなされる。ＴＢＦは、パケットデータ物理チャネル上の論理リンク制御プロトコルデータユニットの一方向の転送をサポートする２つの無線リソースエンティティによって使用される接続である。ＴＢＦは一時的なものであり、データ転送の時間だけ維持される。ＴＢＦの解放は、最後のパケットが送信或は受信された後、ＢＳＳタイマによって設定される構成設定可能な時刻に発生する。
【００３１】
２．このために新たなタイマが導入され、そのタイマは各パケットの後でリセットされる。更なるパケットが受信される前にタイマが切れたなら、音声バーストは終了したとみなされる。アップリンクまたはダウンリンク方向について、同じタイマを使うこともできるし、別のタイマを使うこともできる。
【００３２】
３．ダウンリンクの音声バーストは、ＢＳＳ内のダウンリンクバッファが空になった時にすぐに終了したとみなされる。
【００３３】
４．アップリンクの音声バーストは、アップリンクＣＶが０になったとき、終了したとみなされる。（ＣＶとは移動局によってＢＳＳに送信されるカウントダウン値のことである）。
【００３４】
本発明は、セルラネットワークアーキテクチャにおいて、複数のセルがオーバラップしているという事実を利用する。セルの再選択の時、無線状態は、たとえセルの再選択が数秒間延期されたとしても、“古い”セルの中でデータを転送するのに依然として十分なほど良好である。ＰｏＣサービスに関連する音声バーストは一般に非常に短いため、無線の状態がひどく劣化する前に音声バーストは終了する時間を有するであろう。結果として、中断は全体的に解消されるかもしれない。しかし、ある状況では、移動局がセルの境界を高速で通過する間、トークバーストが相対的に長い時間継続する可能性がある。そのようなシナリオにおいては、サービスが相対的に速く劣化することがあり、たとえトークバーストが終了していなくても、セル再選択が発生するように強制することが必要となるかもしれない。このような万一の場合をカバーするため、異なる“フォールバック”判断基準が定義されてもよい。これらには、以下のときまでセルの再選択を遅延させることが含まれる。
【００３５】
・現在の音声バーストが終了するか、或は最大の設定可能なタイマが期限切れとなる。
【００３６】
・現在の音声バーストが終了するか、或は進行中の音声バーストに基づいて計算された適応時間が期限切れとなる。
【００３７】
・現在の音声バーストが終了するか、或は特定の移動局について計算された適応時間が期限切れとなる。
【００３８】
・現在の音声バーストが終了するか、或はＢＳＳレベルに基づいて計算された適応時間が期限切れとなる。
【００３９】
・現在の音声バーストが終了するか、或は古いセルの中の無線状態が一定の搬送波対干渉比（Ｃ／Ｉ）を下回る。
【００４０】
・音声バーストが終了するか、或は古いセルの中の無線状態が一定のビット誤り率になる。
【００４１】
・音声バーストが終了するか、或は古いセルの中のスループットが一定の限度を下回る。
【００４２】
異なるセル再選択タイプについては、即ち、ＢＳＣ内セル再選択、ＢＳＣ間セル再選択、及びＳＧＳＮ間セル再選択については、異なる判断基準が適用されてもよい。
【００４３】
本発明の範囲から逸脱することなく上記の実施例に対する種々の変更が行われてもよいことは、当業者には理解されるであろう。例えば、セル再選択の信号をすぐに移動局に送信し、その後、移動局で遅延を実行することが可能である。自分自身がＰｏＣセションに関与しているかどうか移動局は分かるであろう。しかしながら、この解決策は、現在の３ＧＰＰ仕様の範囲内では、移動局についての型式認定問題を生じさせるであろうから不利な点を有する可能性がある。もちろん、そのような動作が可能になるように３ＧＰＰ標準を変更することもできるだろうが、現時点では下位のレイヤはアプリケーションレイヤとは大きく区別されている。移動局を基本とする解決策の更に不利な点は、ネットワークを基本とする解決策がすべてのＮＣ２対応の移動局について作用するのに対し、その解決策を実施することを選んだ特定の移動局についてしか作用しないことであろう。
【図面の簡単な説明】
【００４４】
【図１】ＧＳＭ／ＧＰＲＳネットワークを概略的に例示する図である。
【図２】現在のＮＣ０またはＮＣ２手順を利用した音声バーストを含むプッシュ・トゥ・トーク・オーバザセルラ（ＰｏＣ）のセションの性質を例示する図である。
【図３】変形されたＮＣ２手順を利用した音声バーストを含むプッシュ・トゥ・トーク・オーバザセルラ（ＰｏＣ）のセションの性質を例示する図である。
【図４】移動局とセルの再選択手順に関連する無線アクセスネットワークとの間の図１のネットワーク内のシグナリングを示す図である。
【図１】
2008515300.tif 000003
【図４】
2008515300.tif 000004
【図２】
2008515300.tif 000005
【図３】
2008515300.tif 000006
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
セルを基本とする無線アクセスネットワークのセル間で移動局のセル再選択を制御する方法であって、前記方法は、
前記移動局についてのセルの再選択が適切である時を、前記無線アクセスネットワークの中で判断する工程と、
前記移動局が一連のトークバーストを含むパケット交換のプッシュ・トゥ・トークのサービスに関与しているかどうかを、基地局制御装置において、進行中のパケット交換セションのサービス品質プロフィールを検査することにより判断する工程と、
もし、前記移動局がプッシュ・トゥ・トークのサービスに関与しているならば、トークバースト間の沈黙時間のような時間が発生するまでセル再選択を遅延させる工程とを有することを特徴とする方法。
【請求項２】
前記パケット交換サービスは汎用パケット無線サービスであることを特徴とする請求項１に記載の方法。
【請求項３】
前記無線アクセスネットワークはＧＳＭ／ＧＰＲＳであり、
前記移動局についてのセルの再選択が適切である時を判断する工程は、前記移動局から受信される測定に基づいてサービング基地局制御装置において実行されることを特徴とする請求項１又は２に記載の方法。
【請求項４】
セルの再選択はＮＣ２手順によって制御され、
前記セルの再選択の手順を遅延させる工程は、ＮＣ２手順を用いて実施されることを特徴とする請求項３に記載の方法。
【請求項５】
現在のトーク・バーストの終了に続いて、セルの再選択要求を前記無線アクセスネットワークから前記移動局に送信する工程をさらに有することを特徴とする請求項１乃至４のいずれか１項に記載の方法。
【請求項６】
前記進行中のセションの無線リンク品質が受容可能な品質閾値を下回った場合に、迅速なセルの再選択を指示するため、前記遅延を無効にする工程をさらに有することを特徴とする請求項１乃至５のいずれか１項に記載の方法。
【請求項７】
前記閾値は、搬送波対干渉比（Ｃ／Ｉ）、ビット誤り率（ＢＥＲ）、或はセルのスループットにより定義されることを特徴とする請求項６に記載の方法。
【請求項８】
前記進行中のトークバーストが一定の定義されたタイマ値を超え続ける場合に、迅速なセルの再選択を指示するため、前記遅延を無効にする工程をさらに有することを特徴とする請求項１乃至５のいずれか１項に記載の方法。
【請求項９】
前記タイマ値は、
予想される動作に基づいて事前に定義されるか、或は
前記進行中の音声バーストに基づいて適応的に計算された値か、或は
前記移動局の以前の動作に基づいて演算された値か、或は
前記無線アクセスネットワークによって処理される前記移動局の以前の動作に関して演算された値であることを特徴とする請求項８に記載の方法。
【請求項１０】
セルを基本とする無線アクセスネットワークの基地局制御装置を動作させる方法であって、前記方法は、
移動局についてのセルの再選択が適切である時を、前記無線アクセスネットワークの中で判断する工程と、
前記移動局が一連のトークバーストを含むパケット交換のプッシュ・トゥ・トークのサービスに関与しているかどうかを、前記基地局制御装置において、進行中のパケット交換セションのサービス品質プロフィールを検査することにより判断する工程と、
もし前記移動局がプッシュ・トゥ・トークのサービスに関与しているならば、トークバースト間の沈黙時間のような時間が発生するまで、セル再選択の指示を遅延させる工程とを有することを特徴とする方法。
【請求項１１】
セルを基本とする無線アクセスネットワークで使用する移動局を動作させる方法であって、前記方法は、
前記移動局についてのセルの再選択が適切である時を、前記無線アクセスネットワークの中で判断する工程と、
前記移動局が一連のトークバーストを含むパケット交換のプッシュ・トゥ・トークのサービスに関与しているかどうかを、基地局制御装置において、進行中のパケット交換セションのサービス品質プロフィールを検査することにより判断する工程と、
もし前記移動局がプッシュ・トゥ・トークのサービスに関与しているならば、トークバースト間の沈黙時間のような時間が発生するまで、セル再選択の指示を遅延させる工程とを有することを特徴とする方法。
【国際調査報告】
2008515300.tif 000007
2008515300.tif 000008